(57)【要約】【課題】裏セット盤が遊技盤に対して開放されたときでも、信号ケーブルを痛めたり、端子板から外れやすくなったり外れたりすることがなく、また、保守や点検の作業をする際に信号ケーブルが作業の邪魔にならないようにすることができるとともに、裏セット盤に貫通孔を形成することなく、信号ケーブルを的確に導くことができる遊技機の情報伝達機構を提供する。【解決手段】遊技盤の前面に設けられる装飾部材の背面側に端子板を設けて、接続配線を接続可能にする。【選択図】      図３
2005013407.tif 000002
【特許請求の範囲】
【請求項１】
外郭方形状の外枠と、
前面に遊技領域が形成されるとともに前記遊技領域から外れた上部位置に遊技盤装飾用の装飾部材が配設された遊技盤と、
前記外枠に対して開閉可能に支持されるとともに前記遊技盤を着脱可能に収容する収容部が設けられた前枠と、
前記遊技領域で展開される遊技を制御する遊技制御装置と、
前記遊技制御装置と電気的に接続されるとともに前記遊技領域で展開される遊技に関する情報を出力するための情報出力端子が配設された端子板と、を備えた遊技機用の情報伝達機構であって、
前記装飾部材の背面側には前記端子板を取着するための端子板取付部が形成され、外部との接続配線が前記憶報出力端子と接続可能に構成されていることを特徴とする遊技機用の情報伝達機構。
【発明の詳細な説明】
【０００１】
【発明の属する技術分野】
本発明は、パチンコ機やアレンジボール遊技機等の遊技機の情報伝達機構に関し、より詳しくは外部へ遊技情報を出力する情報伝達機構に関する。
【０００２】
【従来の技術】
従来から、パチンコホールにおいては、コンピューター（以下、ホールコンピュータと称する。）を用いて、パチンコ機等に代表される遊技機の管理を行っている。パチンコホールでは、複数台の遊技機が、遊技島と称される設置台に並置されている。これらの遊技機が稼動しているときには、その各々で遊技の状態や遊技機の状態が異なり、これらの遊技機の状態を容易にかつ的確に把握するためにホールコンピュータで管理をする必要がある。
【０００３】
このように、遊技の状態や遊技機の状態に関する情報をホールコンピュータに供給する必要があるために、遊技機の各々には、ホールコンピュータと通信するための信号ケーブルが接続される。遊技機には、この信号ケーブルを着脱可能に接続するための端子板が設けられている。端子板は、遊技機の制御装置等の信号を発する装置に電気的に接続されている。端子板には、ホールコンピュータに供給する情報の種類に応じた複数のソケットが設けられている。信号ケーブルは、これらソケットの数に応じて複数本用いられる。信号ケーブルを、これに対応するソケットに接続することにより、各種の情報がホールコンピュータに供給される。
【０００４】
また、パチンコホールにおいては、遊技機自体の交換や遊技機を構成する遊技盤の交換が行われたり、遊技機の保守や点検が行われる。このような作業をする際には、遊技機とホールコンピュータを接続している信号ケーブルを端子板から取り外す必要がある。このような信号ケーブルを取り外して行わねばならない作業の利便性を考慮した装置として、特許第２６０２７９２号公報に開示されているものがある。
【０００５】
この従来の遊技機は、２つの端子板を有する。２つの端子板のうちの一方は、遊技盤側情報を出力するための端子板（以下、盤側情報端子板と称する。）で、他方は、遊技機枠側情報を出力するための端子板（以下、枠側情報端子板と称する。）である。遊技盤側情報は、遊技盤毎に出力の内容が変化し得る情報で、例えば、大当りの回数を出力する大当り情報や、遊技盤に設けられた図柄表示装置の作動回数情報等を含む。また、遊技機枠側情報は、遊技機枠に関連する情報で、例えば、ガラス扉の開放情報や賞品球の不足情報等を含む。
【０００６】
上述した盤側情報端子板は、遊技盤の背面に設けれられ、枠側情報端子板は、裏セット盤（ベース本体４）に設けられている。パチンコ遊技機が、通常の動作をするときには、裏セット盤は、遊技盤の背面を覆うように取り付けられる。このため、従来の遊技機では、盤側情報端子板に接続された信号ケーブルを遊技機の後ろ側に導くために、信号ケーブルを通すための貫通孔を裏セット盤に設ける構成としている（例えば、特許文献１参照）。また、盤側情報端子板を、遊技盤の背面に取り付けられる球寄せカバーに設けたり、前枠の背面に取り付けたりするような構成も考えられる。しかし、このような構成とした場合であっても、信号ケーブルを通すための貫通孔を裏セット盤に形成する必要がある。
【０００７】
【特許文献１】
特許第２６０２７９２号公報
【０００８】
【発明が解決しようとする課題】
しかしながら、上述したように、パチンコホールにおいては、遊技盤の交換作業や、遊技機の保守や点検作業が行われる。このような作業は、裏セット盤が遊技盤に対して開放された状態で行われる。一方、上述したように、裏セット盤には、信号ケーブルを通すための貫通孔を形成して、信号ケーブルを遊技機の後側に導いている。このため、裏セット盤を遊技盤に対して開放するときに、信号ケーブルが貫通孔の端部に接触して摺動したり引っ張られたりする場合がある。このため、信号ケーブルを痛めたり、信号ケーブルが端子板から外れやすくなったり外れたりする。さらに、裏セット盤が遊技盤に対して開放された状態のときには、信号ケーブルは、遊技盤の背面と裏セット盤とに亘って存在するために、上述した保守や点検の作業の邪魔になる場合も生じた。
【０００９】
また、遊技盤の種類によってはホールコンピュータに出力すべき情報が異なるために、盤側情報端子板をも交換しなければならない場合がある。このようなときに、従来のパチンコ機のように、盤側情報端子板を、遊技盤の背面に取り付けられる裏セット盤に設けた構成や、前枠の背面に取り付けた構成とした場合には、遊技盤を交換する作業のみならず、盤側情報端子板を交換する作業をも要し、遊技盤の交換作業が煩雑となった。
【００１０】
本発明は、上述の点に鑑みてなされたものであり、その目的とするところは、裏セット盤が遊技盤に対して開放されたときでも、信号ケーブルを痛めたり、端子板から外れやすくなったり外れたりすることのない遊技機を提供することにある。また、保守や点検の作業をする際に信号ケーブルが作業の邪魔にならないようにすることができるとともに、裏セット盤に貫通孔を形成することなく、信号ケーブルを的確に導くことができる遊技機を提供することにある。さらに、遊技盤の交換作業の効率を高めたり、パチンコ遊技機の製造や組立時の工程を簡略化したりすることができるとともに、端子板を取り付けるための部材の数を少なくしたり、部品の共通化を図ったりすることができる遊技機を提供することにある。
【００１１】
【課題を解決するための手段】
以上のような目的を達成するために、本発明においては、遊技盤の前面に設けられる装飾部材の背面側に端子板を設けて、接続配線を接続可能にすることを特徴とする。
【００１２】
より具体的には、本発明は以下のような遊技機の情報伝達機構を提供する。
（１）  外郭方形状の外枠と、
前面に遊技領域が形成されるとともに前記遊技領域から外れた上部位置に遊技盤装飾用の装飾部材が配設された遊技盤と、
前記外枠に対して開閉可能に支持されるとともに前記遊技盤を着脱可能に収容する収容部が設けられた前枠と、
前記遊技領域で展開される遊技を制御する遊技制御装置と、
前記遊技制御装置と電気的に接続されるとともに前記遊技領域で展開される遊技に関する情報を出力するための情報出力端子が配設された端子板と、を備えた遊技機用の情報伝達機構であって、
前記装飾部材の背面側には前記端子板を取着するための端子板取付部が形成され、外部との接続配線が前記憶報出力端子と接続可能に構成されていることを特徴とする遊技機用の情報伝達機構。
【００１３】
上述した（１）の発明によれば、端子板を取り付けるための端子板取付部を、装飾部材の背面に形成するととともに、この装飾部材が遊技盤の上部に位置するので、遊技盤の背面の上部から接続配線を導くことができ、遊技盤の背後に取り付けられる裏セット盤に貫通孔を形成する必要がなくなる。また、接続配線は、遊技盤の背面の上部から導かれるので、接続配線が保守点検等の作業の邪魔となることを防止することができる。
【００１４】
上述した（１）の発明の構成に加えて、「前記遊技盤は、前記端子板取付部を収容する収容部が形成されている」という構成を加えてもよい。例えば、遊技盤に貫通孔を形成し、その貫通孔内に端子板を収容する。このようにしたときには、端子板を遊技盤に取り付けるための空間を確保する必要をなくすことができる。また、裏セット盤を遊技盤に対して的確に閉じることもできる。
【００１５】
【発明の実施の形態】
以下に、本発明の実施例について図面に基づいて説明する。
【００１６】
パチンコ遊技機１０が、パチンコ遊技店、いわゆるパチンコホールに設置されたときの状態を図１に示す。尚、パチンコホールにおいては、複数のパチンコ遊技機が並置されており、図１に示す例は、並置されるパチンコ遊技機のうちの２台分を示す。また、パチンコホールにおいては、パチンコ遊技機は、遊技島１に設置される。遊技島１においては、パチンコ遊技機１０が互いに背中合わせになるように設置される。図１に示す例は、図面の略中央で遊技島１を破断して示したもので、破断線Ｌよりも右側が、遊技島１の一の面に設置されたパチンコ遊技機１０の正面を示す。この正面を向いたパチンコ遊技機１０は、前枠１４の前面に取り付けられらガラス扉１８を略９０度開放したときの状態を示す。また、破断線Ｌよりも左側が、遊技島１の一の面の反対側の面に設置されたパチンコ遊技機の背面を示す。
【００１７】
また、後述する裏セット盤３００を開放したときのパチンコ遊技機１０の背面の状態を図２に示す。尚、図２は、パチンコ遊技機１０を構成する外枠１２を省略し、裏セット盤３００をパチンコ遊技機１０に対して略１８０度開放したときの状態を示す。
【００１８】
この図１及び図２に基づいて、パチンコ遊技機１０の構成の概略と、パチンコ遊技機１０とホールコンピュータとに接続されたネットワーク接続線４０とについて説明する。
【００１９】
パチンコ遊技機１０は、外枠１２と、前枠１４と、遊技盤収容枠１６と、ガラス扉１８と、遊技盤３０と、裏セット盤３００と、を含む。
【００２０】
外枠１２は、パチンコ遊技機１０の外郭を構成し、方形状の形状を有する。図１に示すように、この外枠１２を介して、パチンコ遊技機１０は、遊技島１の支持部材（図示せず）に取り付けられる。
【００２１】
前枠１４は、外枠１２に対してその前方に向かって開閉可能に外枠１２に取り付けられている。また、前枠１４には、遊技盤３０を着脱可能に収容するための遊技盤収容枠１６が形成されている。この遊技盤収容枠１６が、「遊技盤を着脱可能に収容する収容部」を構成する。
【００２２】
ガラス扉１８は、前枠１４の前面に開閉可能に取り付けられている。ガラス扉１８には、遊技盤３０を視認可能に覆うガラス（図示せず）を収容するためのガラス収容枠（図示せず）が形成されている。
【００２３】
遊技盤３０は、前面にパチンコ遊技を展開するための遊技領域が形成されている。この遊技盤３０の前面には、外レール３２や内レール３４が設けられており、外レール３２と内レール３４とによって遊技領域が画定される。この遊技領域内では、遊技球の進行方向を変化させるための障害釘や風車（図示せず）や、飾り体や入賞口等の遊技部品が、所定のゲージ設定に基づいて配設されている。遊技球が入賞した入賞口の種類に応じてパチンコ遊技は展開される。また、遊技盤３０の遊技領域から外れた領域には、レール飾り１００ａ、１００ｂ及び１００ｃが設けられている。後述するように、レール飾り１００ａは、遊技盤３０の左上の隅に取り付けられており、「遊技盤装飾用の装飾部材」を構成する。
【００２４】
裏セット盤３００は、図２に示すように前枠１４の背面に取り付けられている。裏セット盤３００は、一対のヒンジ部２４ａ及び２４ｂを介して前枠１４の背面に回動可能に設けられている。一対のヒンジ部２４ａ及び２４ｂの回動中心が、裏セット盤３００の回動軸となる。裏セット盤３００には、遊技盤３０の背面で賞球を導くための流路が形成されている。また、裏セット盤３００には、各種の制御装置、例えば、図１に示す電源回路２０や主制御回路２２やランプ制御装置２３等が設けられている。この主制御回路２２が、「遊技領域で展開される遊技を制御する遊技制御装置」を構成する。
【００２５】
図１に示すように、遊技島１の上側には、遊技島１の長尺な方向に沿ってネットワーク接続線４０が配設されている。ネットワーク接続線４０の一端は、パチンコ遊技に関する管理情報を管理するための管理装置、例えばコンピュータ（以下、ホールコンピュータ（図示せず）と称する。）に接続されている。また、ネットワーク接続線４０の他端は、図１及び図２に示すように、パチンコ遊技機１０に設けられている情報出力端子板２００のソケット２０４（図３〜図６参照）に接続されている。尚、以下においては、ネットワーク接続線４０から分岐したパチンコ遊技機１０の各々に接続される接続線を信号ケーブル４２と称する。また、ネットワーク接続線４０及び信号ケーブル４２は、複数本の信号線からなり、図においては、これらの信号線を結束した１本の線として２点鎖線による仮想線で示す。このネットワーク接続線４０及び信号ケーブル４２から、「外部との接続配線」が構成される。
【００２６】
上述したホールコンピュータは、パチンコホールの所定の場所に設置され、パチンコ遊技機１０から送信される管理情報を収集し解析して、パチンコ遊技機１０の状態や、パチンコ遊技の状態を管理する。
【００２７】
情報出力端子板２００には、後述する図３に示すように、ソケット２０２が設けられている。図２に示す主制御回路用ケーブル２６の一端は、このソケット２０２に着脱可能に接続される。また、図２に示すように、主制御回路用ケーブル２６の他端は、主制御回路２２に接続される。このソケット２０２から「情報出力端子」が構成される。また、情報出力端子板２００から「情報出力端子が配設された端子板」が構成される。
【００２８】
上述したように、ネットワーク接続線４０の一端は、ホールコンピュータに接続される。また、ネットワーク接続線４０の他端は、分岐した信号ケーブル４２として、情報出力端子板２００、具体的には、後述する図３〜図６に示すソケット２０４に接続される。
【００２９】
上述した構成によって、主制御回路２２から発せられる信号は、情報出力端子板２００のソケット２０４と信号ケーブル４２とネットワーク接続線４０とを介してホールコンピュータに遊技に関する情報として出力される。これにより、「前記遊技制御装置と電気的に接続されるとともに前記遊技領域で展開される遊技に関する情報を出力する」ことができる。
【００３０】
また、後述する図５及び図６に示すように、電飾基板１２２にはソケット１２４が取り付けられている。図２に示す発光ダイオード制御用ケーブル２８の一端は、このソケット１２４に接続される。また、発光ダイオード制御用ケーブル２８の他端は、図１に示すように、ランプ制御装置２３に接続される。
【００３１】
上述した情報出力端子板２００は、図１に示すように、レール飾り１００ａの背面に設けられている。尚、図１においては、情報出力端子板２００を破線で示す。情報出力端子板２００は、図２に示すように、遊技盤３０に形成された貫通孔３６内に配置されている。貫通孔３６は、遊技盤３０の上側でかつヒンジ部２４ａの近傍に形成されている。この貫通孔３６の前面には、レール飾り１００ａが配置される。尚、図２においては、レール飾り１００ａを破線で示す。この情報出力端子板２００及び情報出力端子板２００を取り付ける構造について、以下でより詳細に説明する。
【００３２】
＜＜第１の実施形態＞＞
以下に、情報出力端子板及び情報出力端子板を取り付ける構造、並びに信号ケーブル４２の配線の態様の第１の実施形態について、図３〜図８に基づいて説明する。
【００３３】
図３は、接続用端子板２００の取付構造を示す分解斜視図である。図４は、裏セット盤３００を遊技盤３０に対して１８０度開放した状態を示す接続用端子板２００の背面図である。図５は、図４に示した線Ｉ−Ｉに沿った断面図である。図６は、図４に示した線ＩＩ−ＩＩに沿った断面図である、図７は、裏セット盤３００、遊技盤３０を開放した側面図である。図８は、裏セット盤３００を遊技盤３０に対して開放した状態の平面図である。
【００３４】
図３は、情報出力端子板２００と、レール飾り１００ａの上隅部と、裏セット盤３００の上隅部と、信号ケーブル４２と、を示す。尚、この図３は、裏セット盤３００が遊技盤３０（図示せず）に対して略９０度開放された状態を基準にして、情報出力端子板２００をレール飾り１００ａから外し、信号ケーブル４２を情報出力端子板２００から外したときの状態を示す。この図３の図中に示した白抜き矢印が、パチンコ遊技機１０の前方の方向である。
【００３５】
＜情報出力端子板２００＞
上述したように、ホールコンピュータに情報を出力するための信号ケーブル４２は、情報出力端子板２００のソケット２０４に接続される。この情報出力端子板２００は、紙基材フェノール樹脂や、ガラス布基材エポキシ樹脂等の基板からなる。この情報出力端子板２００は、互いに向かい合う２つの面を有する平板状でかつ水平方向に延在する長尺な形状を有する。互いに向かい合う２つの面の各々には、ソケットが設けられたり、導体パターンが形成される。後述するように、情報出力端子板２００がレール飾り１００ａの収容部１０４に収容されたときには、情報出力端子板２００の互いに向かい合う２つの面のうちの一の面は、遊技盤３０に向かう面となり、他の面は、遊技盤３０とは反対の方向に向かう面となる。以下では、遊技盤３０に向かう面を情報出力端子板２００の前面と称し、遊技盤３０とは反対の方向に向かう面を情報出力端子板２００の背面と称する。
【００３６】
この情報出力端子板２００の背面には、複数のソケットやレセプタクル（以下、ソケットと称する）が設けられている。図３に示すように、ソケットは、主制御回路用ケーブル２６が接続されるソケット２０２と、信号ケーブル４２が着脱可能に接続されるソケット２０４とである。ソケット２０４は、ホールコンピュータに出力すべき情報の種類に応じて複数個、例えば５個設けられている。尚、この情報は、例えば、いわゆる遊技盤側情報である大当りの回数を出力する大当り情報や遊技盤に設けられた図柄表示装置の作動回数情報等である。これらのソケット２０２及び２０４には、複数の導電性のピンが配置されている。これらの複数のピンの端部が、情報出力端子板２００の前面から若干突出するように、ソケット２０２及び２０４は、情報出力端子板２００の背面に取り付けられている。
【００３７】
一方、情報出力端子板２００の前面には、導体パターン（図示せず）が形成されている。この前面においては、上述したソケット２０２及び２０４の突出した複数の導電性のピンと、前面で形成された導体パターンとが電気的に接続されるこの電気的接続により、主制御回路２２から発せられて主制御回路用ケーブル２６によってソケット２０２まで導かれた信号は、ソケット２０２から２０４へ導かれる。
【００３８】
また、情報出力端子板２００には、後述するベース体１０２に取り付けるための固定用の貫通孔２０６及び２０８が情報出力端子板２００の左右の端辺の近傍に形成され、ベース体１０２に対する位置決め用の貫通孔２１０が、情報出力端子板２００の略中央に形成されている。
【００３９】
＜レール飾り１００ａ＞
レール飾り１００ａの全体は、図１に示すように、遊技盤３０の左上隅における遊技盤３０の上側の端辺と左側の端辺と外レール３２との間の領域、即ち「遊技領域から外れた上部位置」に適合する形状を有する。レール飾り１００ａは、図３、図５及び図６に示すように、レンズ体１０１と、電飾基板１２２と、レンズ体１０１及び電飾基板１２２を支持するベース体１０２とからなる。
【００４０】
レール飾り１００ａが遊技盤３０に取り付けられたときには、レンズ体１０１が遊技盤３０の前方に向かって配置され、レンズ体１０１がレール飾り１００ａの前面側の外形を画定する。レンズ体１０１は、光を透過し得るＡＢＳ等からなる樹脂によって成形されている。後述するように、電飾基板１２２には、レンズ体１０１に向かって光を発する発光体、例えば発光ダイオード１２０が設けられている。このレンズ体１０１には、光を拡散させるためのダイヤカット処理等の加工がされている。発光ダイオード１２０から発せられた光が、ダイヤカット処理された箇所に照射されると、照射された光は拡散される。電飾基板１２２に設けられた発光体を点灯させたり点滅させたりすることで、レール飾り１００ａによる演出が遊技盤３０の前面において行われる。
【００４１】
上述したように、遊技盤３０の前面に取り付けられたときには、レール飾り１００ａは、遊技盤３０の左上隅における遊技盤３０の上側の端辺と左側の端辺と外レール３２との間の領域に適合するように設けられる。この遊技盤３０へのレール飾り１００ａの取り付けは、図５に示すように、レール飾り１００ａのベース体１０２が、遊技盤３０の前面の表面に接するように取付られる。
【００４２】
このベース体１０２の背面には、図３に示すように、収容部１０４が形成されている。後述するように、この収容部１０４に情報出力端子板２００が収容される。収容部１０４は、突出壁１０６と、固定用のボス１１２及び１１４と、位置決め用のボス１１６と、からなる。
【００４３】
上述した突出壁１０６は、ベース体１０２の背面からパチンコ遊技機１０の背後方向に向かって突出して形成されている。また、突出壁１０６は、ベース体１０２の背面に沿って周回するようにベース体１０２の背面に一体に形成されている。この突出壁１０６の形状は、上述した遊技盤３０に形成された貫通孔３６に、収容部１０４の全体を収容できるように適合されている。ベース体１０２から突出壁１０６の先端までに至る突出方向に沿った長さは、略一定である。この突出方向に沿った長さを、遊技盤３０の厚さと略同一としても、又は遊技盤３０の厚さよりも小としてもよい。突出壁１０６は、ベース体１０２の背面に沿った断面が水平方向に長尺な矩形の矩形筒部１０８と、ベース体１０２の背面に沿った断面が円形の円筒部１１０とからなる。
【００４４】
＜情報出力端子板２００の取付け構造＞
上述した矩形筒部１０８には、情報出力端子板２００が収容されて固定される。矩形筒部１０８の内側には、情報出力端子板２００を固定するためのボス１１２及び１１４と、情報出力端子板２００の位置を決めるためのボス１１６とがベース体１０２に一体に形成されている。固定用のボス１１２及び１１４の端部には、長手方向に沿って雌ネジが形成されている。位置決め用のボス１１６の端部には、突起が形成されている。固定用のボス１１２には、情報出力端子板２００の固定用の貫通孔２０６が対応し、固定用のボス１１４には、情報出力端子板２００の固定用の貫通孔２０８が対応し、位置決め用のボス１１６には、情報出力端子板２００の位置決め用の貫通孔２１０が対応する。位置決め用のボス１１６に形成された突起を情報出力端子板２００の位置決め用の貫通孔２１０に挿通させるとともに、情報出力端子板２００の固定用の貫通孔２０６から固定用のボス１１２へネジを螺合し、情報出力端子板２００の固定用の貫通孔２０８から固定用のボス１１４へネジを螺合することで、情報出力端子板２００を矩形筒部１０８内に背面から収容して固定することができる。
【００４５】
＜レール飾り１００ａの取付け構造＞
上述したように、遊技盤３０の左上の隅部には、収容部１０４の外形に適合するように、遊技盤３０の前面から背面へ貫通する貫通孔３６が形成されている。レール飾り１００ａが遊技盤３０に遊技盤３０の前面から取り付けられたときには、図４に示すように、収容部１０４が貫通孔３６に収容される。また、レール飾り１００ａが遊技盤３０に取り付けられたときには、図１に示すように、レール飾り１００ａによって貫通孔３６を覆い隠すことができる。
【００４６】
上述したように、収容部１０４は、延出壁１０６の幅が、遊技盤３０の厚さと略同一となるように又は遊技盤３０の厚さよりも小となるように形成されている。このようにしたことにより、図５及び図６に示すように、レール飾り１００ａが遊技盤３０に取り付けられたときには、収容部１０４の全体が貫通孔３６内に収容される。また、固定用のボス１１２及び１１４と位置決め用のボス１１６との長さを適切な長さにすることで、ソケット２０２及び２０４の全体をも含めて情報出力端子板２００を貫通孔３６内に収容することができる。このように貫通孔３６内に情報出力端子板２００を収容する構成としたことにより、情報出力端子板２００に設けられたソケット２０４に接続された信号ケーブル４２は、遊技盤３０の背面から導き出される。この収容部１０４から、「前記装飾部材の背面側には前記端子板を取着するための端子板取付部」が構成される。
【００４７】
尚、貫通孔３６の形状が収容部１０４の外形に整合するように、貫通孔３６を遊技盤３０に形成してもよい。即ち、レール飾り１００ａを遊技盤３０に取り付けたときには、収容部１０４は貫通孔３６に嵌入される。このような構成としたときには、収容部１０４の突出壁１０６は、レール飾り１００ａの位置決め用の部材として機能する。このため、レール飾り１００ａを遊技盤３０に取り付ける際には、遊技盤３０に対するレール飾り１００ａの位置決め作業を省略することができ、パチンコ遊技機の組立作業の工程を簡略化することができる。
【００４８】
また、遊技盤３０の種類が異なる場合には、ホールコンピュータに出力すべき情報の種類も異なる。このため、パチンコ遊技機１０に取り付ける遊技盤３０の種類が異なる場合には、情報出力端子板２００に設けるソケット２０４の数や形状が異なる場合もあり、情報出力端子板２００の形状や大きさを変える必要が生ずる。このような場合を考慮して、遊技盤３０に形成する貫通孔３６の形状や大きさや、レール飾り１００ａに形成する収容部１０４の形状や大きさを、遊技盤３０の種類が異なる場合にも対応できるように予め形成することが好ましい。このようにすることで、遊技盤３０が種類が異なる場合であっても、収容部１０４を変更する必要がなくなり、遊技盤３０に取り付けられるレール飾り１００ａを共通部品として使用することができる。
【００４９】
＜電飾基板１２２の取付け構造＞
上述したように、突出壁１０６は、矩形筒部１０８と、円筒部１１０とからなる。この円筒部１１０には、発光ダイオード制御用ケーブル２８が通る。発光ダイオード制御用ケーブル２８は、レール飾り１００ａの発光ダイオード１２０に電力を供給するためのものである。この発光ダイオード１２０は、上述したように、レール飾り１００ａの電飾基板１２２に設けられている。
【００５０】
電飾基板１２２は、紙基材フェノール樹脂や、ガラス布基材エポキシ樹脂等の基板からなる。電飾基板１２２には、図５及び図６に示すように、レンズ体１０１に向かって光を発するように発光ダイオード１２０が設けられるとともに、所望する電気的接続が形成されるように導体パターン（図示せず）が形成されている。更に、図５及び図６に示すように、電飾基板１２２には、発光ダイオード制御用ケーブル２８を接続するためのソケット１２４が設けられている。
【００５１】
レール飾り１００ａが遊技盤３０に取り付けられたときには、図３〜図６に示すように、ソケット１２４が、遊技盤３０の貫通孔３６、即ち収容部１０４の円筒部１１０に位置するように、電飾基板１２２に取り付けられる。このようにすることで、円筒部１１０介して、発光ダイオード制御用ケーブル２８を遊技盤３０の背面に導くことができる。
【００５２】
＜配線掛止部３０６＞
上述したように、ホールコンピュータに情報を出力するための信号ケーブル４２は、情報出力端子板２００に設けられたソケット２０４に接続されて、遊技盤３０の背面から導き出される。遊技盤３０の背面から導き出された信号ケーブル４２は、後述する図３及び図４に示す配線掛止部３０６によって案内される。
【００５３】
図３及び図４に示すように、裏セット盤３００の上辺部でありヒンジ部２４ａの近傍には、溝部３０２が形成されている。溝部３０２の一の側面３０４には、断面が略Ｌ字状の配線掛止部３０６が溝部３０２の他の側面３０８に向かって突出するように一体に形成されている。配線掛止部３０６は、図４に示すように、溝部３０２の一の側面３０４から他の側面３０８に向かって延出する水平延出部３１０と、水平延出部３１０の端部から下に向かって形成された垂直延設部３１２と、垂直延設部３１２の端部から一の側面３０４に向かって形成された爪部３１４と、からなる。また、爪部３１４の先端から溝部３０２の一の側面３０４までは開放されており、配線掛止部３０６の下部に開放口３１６が形成される。
【００５４】
また、裏セット盤３００には、溝部３０２の近傍に、遊技盤３０に向かって開放されて垂直方向に沿った凹部３１８が形成されている。後述するように、裏セット盤３００が、遊技盤３０に対して閉じられたときには、この凹部３１８に信号ケーブル４２が収容される。
【００５５】
＜配線掛止部３０６による信号ケーブル４２の案内＞
図３及び図４に示すように、水平延出部３１０と垂直延設部３１２と溝部３０２の一の側面３０４との間に信号ケーブル４２を配線するときには、開放口３１６を介して信号ケーブル４２を配線掛止部３０６に配置する。配線掛止部３０６に信号ケーブル４２が配置されたときには、水平延出部３１０によって信号ケーブル４２を上方向に対して掛止することができ、垂直延設部３１２によって溝部３０２の側面３０４及び３０８に対して垂直な方向に対して掛止することができる。これにより、信号ケーブル４２が上方向に牽引されても、信号ケーブル４２が配線掛止部３０６から抜けることを防止することができる。また、爪部３１４によって、信号ケーブル４２が、開放口３１６から抜けることを防止することができる。
【００５６】
信号ケーブル４２として用いるケーブルとして、いわゆるフラットケーブルと称されるものや、断面が円形のケーブルを適宜選択することができる。このような信号ケーブル４２の形状に応じて、上述した配線掛止部３０６の形状を変更してもよい。配線掛止部３０６の形状を変更した場合であっても、配線掛止部３０６の開放口３１６が配線掛止部３０６の下側に位置するものであればよい。
【００５７】
また、上述したように、情報出力端子板２００に設けられたソケット２０４は、ホールコンピュータに出力すべき情報の種類に応じて複数個設けられている。このため、これらのソケット２０４に接続する信号ケーブル４２は、複数本、例えば５本の信号ケーブルとなる。これらの複数本のケーブルの全てを配線掛止部３０６に掛止させたときには、配線掛止部３０６は、複数のケーブルを束ねる役割をも果たす。このように、配線掛止部３０６に複数の信号ケーブル４２を掛止させることによって、複数のケーブルを束ねるための結束バンドのような部品を用いることなく、１本の信号ケーブルとして取り扱うことができる。
【００５８】
上述したように、配線掛止部３０６は、側面３０４及び３０８に対して垂直な方向と上方向とに信号ケーブルが移動することを制限する。これに対して、信号ケーブル４２の長手方向については、信号ケーブル４２に対して配線掛止部３０６が円滑に移動できるようにするのが好ましい。裏セット盤３００が遊技盤３０に対して開閉されるときには、配線掛止部３０６は、裏セット盤３００に設けられているために、裏セット盤３００が開閉するに従って、配線掛止部３０６も移動する。このため、配線掛止部３０６は、信号ケーブル４２を案内しつつ信号ケーブル４２の長手方向に沿って移動する。配線掛止部３０６が、信号ケーブル４２に対して円滑に移動できるようするために、水平延出部３１０が延出する長さを信号ケーブル４２の太さよりも十分長くすることが好ましい。尚、水平延出部３１０が延出する長さを変更した場合には、爪部３１４の大きさや形状も適宜変更することが好ましい。
【００５９】
＜信号ケーブル４２の配線の態様＞
信号ケーブル４２が配線掛止部３０６によって案内される様子を図７に示す。この図７は、ヒンジ部２４が設けられた側面から見たときのパチンコ遊技機１０の上部を示す。尚、この図７は、前枠１４と、遊技盤３０と、裏セット盤３００と、の各々を分離した状態を示す。
【００６０】
情報出力端子板２００のソケット２０４に接続された信号ケーブル４２は、凹部３１８によって遊技盤３０と裏セット盤３００との間に形成された間隙に沿って上方に向かって案内される。溝部３０２まで至った信号ケーブル４２は、向きを水平方向に変え、配線掛止部３０６を通過する。その後、信号ケーブル４２は、裏セット盤３００の後側に導かれ、図１及び図２に示したように遊技島１の上方にまで導かれ、ネットワーク接続線４０としてホールコンピュータにまで導かれる。図７に示すように、配線掛止部３０６を裏セット盤３００の上辺部かつヒンジ部２４ａの近傍に形成したことにより、信号ケーブル４２を裏セット盤３００の上辺部から後側に導くことができる。
【００６１】
＜裏セット盤３００が開閉されるときの信号ケーブル４２の配線の態様＞
裏セット盤３００が遊技盤３０に対して開閉されるときにおける信号ケーブル４２の状態を図８に基づいて説明する。この図８は、ヒンジ部２４の近傍の前枠１４と、遊技盤３０と、裏セット盤３００との一部を上方から見たときの図であり、裏セット盤３００が遊技盤３０に対して略２０度開放された状態を示す。この図８に示すように、裏セット盤３００が遊技盤３０に対して開閉されるときには、常に、信号ケーブル４２は、配線掛止部３０６によって、溝部３０２内に保持される。このため、裏セット盤３００が遊技盤３０に対して、開放された状態、閉じた状態、及び開閉されている途中の状態の全ての状態において、信号ケーブル４２は、配線掛止部３０６によって、溝部３０２内に位置付けられる。
【００６２】
裏セット盤３００が遊技盤３０に対して開放された状態となったときには、図２及び図４に示すように、信号ケーブル４２は、遊技盤３０の背面の右上から裏セット盤３００の左上へ案内されて位置付けられる。このため、信号ケーブル４２がパチンコ遊技機の保守や点検等の作業を邪魔することを防止することができ、これらの作業の効率を高めることができる。また、信号ケーブル４２は、配線掛止部３０６によって、溝部３０２内に保持されつつ移動するので、信号ケーブル４２が必要以上に引っ張られることを防止することができる。このため、情報出力端子板２００のソケット２０４から信号ケーブル４２が外れたり、信号ケーブル４２が断線し易くなったりするような不都合も防止できる。
【００６３】
一方、裏セット盤３００が遊技盤３０に対して閉じられた状態となったときには、図３に示した凹部３１８によって、裏セット盤３００と遊技盤３０との間に間隙が形成される。裏セット盤３００が遊技盤３０に対して開放される状態から閉じた状態に至るまでの間において、信号ケーブル４２は、配線掛止部３０６によって、凹部３１８に向かうように案内される。裏セット盤３００が閉じられた状態となったときには、信号ケーブル４２は凹部３１８によって形成される間隙に収容される。これにより、裏セット盤３００と遊技盤３０との間に、信号ケーブル４２が挟み込まれることを防止できる。
【００６４】
＜前枠１４が開閉されるときの信号ケーブル４２の配線の態様＞
前枠１４が外枠１２に対して開閉される場合にも、配線掛止部３０６は、前枠１４の開閉に従って移動する。上述したように、配線掛止部３０６は、ヒンジ部２４ａの近傍に形成されている。このため、前枠１４が開閉されるときには、配線掛止部３０６は回動中心の近傍を移動するので、配線掛止部３０６の移動距離は短くなり、信号ケーブル４２の移動を小さくすることができる。これにより、信号ケーブル４２が不必要に引っ張られることを防止することができる。
【００６５】
＜信号ケーブル４２＞
上述したように、情報出力端子板２００が収容される収容部１０４は、遊技盤３０の貫通孔３６内に配置される。この貫通孔３６をヒンジ部２４ａの近傍に形成したので、信号ケーブル４２が遊技盤３０の背面から裏セット盤３００に至るまでの距離を短くすることができ、信号ケーブル４２の全体の長さを短くすることができる。尚、従来の装置においても、裏セット盤３００に信号ケーブル４２を通すための貫通孔を設けることによって信号ケーブル４２の長さを短くすることはできる。しかし、このような構成とした場合には、信号ケーブル４２を通すための貫通孔を設ける必要が生じるだけでなく、裏セット盤３００に取り付ける装置の配置を変更する必要も生じる。一方、本願発明による構成とした場合には、情報出力端子板２００をヒンジ部２４ａの近傍に設けたので、信号ケーブル４２を通すための貫通孔を設けたり、裏セット盤３００に取り付ける装置の配置を変更したりすることなく、信号ケーブル４２の長さを短くすることができる。
【００６６】
上述した第１の実施形態によれば、情報出力端子板２００を収容する収容部１０４をレール飾り１００ａと一体になるように形成したので、情報出力端子板２００を取り付けるための部材の数を少なくすることができる。また、遊技盤が種類が異なる場合には、遊技盤の種類に応じて情報出力端子板２００を変える必要が生じても、収容部１０４は変える必要はないので、レール飾り１００ａを共通部品として使用することができ、部品の共通化を図ることができる。また、情報出力端子板２００を取り付けるための部材を遊技盤３０に設けたり形成したりすることを要しないので、構成を簡素にすることができる。更に、遊技盤３０の板厚内に情報出力端子板２００を収容することができるので、裏セット盤３００が遊技盤３０に対して閉じられた場合であっても、裏セット盤３００は、情報出力端子板２００に設けられたソケット２０４やソケット２０４から導かれる信号ケーブル４２に接触したり押圧したりすることがなくなる。更にまた、情報出力端子板２００に設けられたソケット２０４から導かれる信号ケーブル４２を背面側に通すための開口を裏セット盤３００に形成する必要もなくなる。
【００６７】
＜＜第２の実施形態＞＞
情報出力端子板及び情報出力端子板を取り付ける構造の第２の実施態様を図９及び図１０に示す。図９は、レール飾り１００ａの隅の近傍を部分的に拡大して示す。図１０は、図９に示した線ＩＩＩ−ＩＩＩに沿って示したレール飾り１００ａの断面を示す。尚、図９及び図１０においては、図１〜図８に示した要素と同様のものについては同一の符号を付して示した。また、図９の図中に示した白抜き矢印が、パチンコ遊技機１０の前方の方向である。
【００６８】
＜収容部１４４＞
第２の実施形態におけるレール飾り１００ａも第１の実施形態と同様に、遊技盤３０の左上の隅に取り付けられる。レール飾り１００ａの全体も、第１の実施形態と同様に、図１に示すように、遊技盤３０の左上隅における遊技盤３０の上側の端辺と左側の端辺と外レール３２との間の領域、即ち「遊技領域から外れた上部位置」に適合する形状を有する。レール飾り１００ａは、レンズ体１０１と、電飾基板１２２と、レンズ体１０１及び電飾基板１２２を支持するベース体１４２とからなる。
【００６９】
ベース体１４２の背面には、図９に示すように、収容部１４４が形成されている。収容部１４４には、接続用端子板２４０が収容される。収容部１４４は、レール飾り１００ａのベース体１４２の背面からパチンコ遊技機１０の背後方向に向かって突出する突出壁１４６からなる。突出壁１４６は、突出方向に所定の幅を有し、ベース体１４２の背面に沿って周回するように形成されている。この突出壁１４６の形状は、上述した遊技盤３０に形成された貫通孔３６に収容されるように適合されている。上述した突出壁１４６の幅が、遊技盤３０の厚さと略同一となるように又は遊技盤３０の厚さよりも小となるように、突出壁１４６は形成されている。突出壁１４６は、ベース体１４２の背面に沿った断面が水平方向に長尺な矩形の矩形筒部１４８と、ベース体１４２の背面に沿った断面が円形の円筒部１５０とからなる。
【００７０】
＜接続用端子板２４０＞
第２の実施形態では、図９に示すように、矩形筒部１４８の長手方向を垂直方向にした。これにともなって、接続用端子板２４０の長手方向も垂直方向となる。図９に示すように、矩形筒部１４８は、円筒部１５０よりも右側に位置する。このように構成したことにより、図４を参照すると、矩形筒部１４８は、電飾用配線用の円筒部１５０よりもヒンジ部２４に近くなる。即ち、矩形筒部１４８に収容される接続用端子板２４０は、裏セット盤３００の配線掛止部３０６に近くなるので、接続用端子板２４０から配線掛止部３０６までの距離を短くすることができる。このため、裏セット盤３００が遊技盤３０に対して開放された状態となったときには、接続用端子板２４０から裏セット盤３００へ至るまでの信号ケーブル４２の長さを短くすることができ、信号ケーブル４２がパチンコ遊技機の保守や点検等の作業を邪魔することをより防止することができる。
【００７１】
また、矩形筒部１４８を円筒部１５０よりも右側に位置づけたことにより、信号ケーブル４２と発光ダイオード制御用ケーブル２８とが交差しなくなる。このため、信号ケーブル４２と発光ダイオード制御用ケーブル２８とが絡まりにくくなる。絡まった接続導線と電飾用配線とを解かねばならないような作業をなくすことができ、作業の効率をさらに高めることができる。また、このような配置にしたときには、信号を送信するための信号ケーブル４２と、電力を供給するための発光ダイオード制御用ケーブル２８と、が交差しないので、信号ケーブル４２は、発光ダイオード制御用ケーブル２８の電圧や電流の変化の影響を受け難くなるので、パチンコ遊技機１０から発する情報をホールコンピュータに的確に送信することができる。
【００７２】
＜接続用端子板２４０の収容＞
図９及び図１０に示すように、矩形筒部１４８には、係止爪１５２が一体に形成されている。突出壁１４６の下部の内側には係止突起１５４が一体に形成され、突出壁１０６の側部の内側には係止リブ１５６が一体に形成されている。係止爪１５２と、係止突起１５４と、係止リブ１５６とによって、接続用端子板２４０を矩形筒部内に係止して背面から収容することができる。これにより、接続用端子板２４０を交換するような場合が生じても、その作業の効率を高めることができる。
【００７３】
＜＜第３の実施形態＞＞
情報出力端子板及び情報出力端子板を取り付ける構造の第３の実施態様を図１１及び図１２に示す。図１１は、レール飾り１００ａの隅の近傍を部分的に拡大して示す。図１１は、図１０に示した線ＩＶ−ＩＶに沿って示したレール飾り１００ａの断面を示す。尚、図１１及び図１２においては、図１〜図１０に示した要素と同様のものについては同一の符号を付して示した。また、図１１の図中に示した白抜き矢印が、パチンコ遊技機１０の前方の方向である。
【００７４】
＜収容部１７４＞
第３の実施形態におけるレール飾り１００ａも第１の実施形態及び第２の実施形態と同様に、遊技盤３０の左上の隅に取り付けられる。レール飾り１００ａの全体も、第１の実施形態及び第２の実施形態と同様に、図１に示すように、遊技盤３０の左上隅における遊技盤３０の上側の端辺と左側の端辺と外レール３２との間の領域、即ち「遊技領域から外れた上部位置」に適合する形状を有する。レール飾り１００ａは、レンズ体１０１と、電飾基板１２２と、レンズ体１０１及び電飾基板１２２を支持するベース体１７２とからなる。
【００７５】
ベース体１７２の背面には、図１１に示すように、収容部１７４が形成されている。収容部１７４には、接続用端子板２７０が収容される。収容部１７４は、レール飾り１００ａのベース体１７２の背面からパチンコ遊技機１０の背後方向に向かって突出する突出壁１７６からなる。突出壁１７６は、突出方向に所定の幅を有し、ベース体１７２の背面に沿って周回するように形成されている。この突出壁１７６の形状は、上述した遊技盤３０に形成された貫通孔３６に収容されるように適合されている。上述した突出壁１７６の幅が、遊技盤３０の厚さと略同一となるように又は遊技盤３０の厚さよりも小となるように、突出壁１７６は形成されている。突出壁１７６は、ベース体１７２の背面に沿った断面が水平方向に長尺な矩形の矩形筒部１７８と、ベース体１７２の背面に沿った断面が円形の円筒部１８０とからなる。
【００７６】
＜接続用端子板２７０の収容＞
第３の実施形態では、第１の実施形態と同様に、矩形筒部１７８の長手方向を垂直方向にした。これにともなって、接続用端子板２７０の長手方向も、第１の実施形態と同様に垂直方向となる。収容部１７４は、矩形筒部１７８の右側の側部に円筒部１８０が接続した形状を有する。矩形筒部１７８の上部には、係止爪１８２がベース体１７２と一体に形成されている。突出壁１７６の下辺の左右の内側には２つの係止突起１８４及び１８６が突出壁１７６と一体に形成され、突出壁１７６の下辺の中央の内側には係止リブ１８８が突出壁１７６と一体に形成されている。この第３の実施形態では、第２の実施形態と同様に、係止爪１８２と、係止突起１８４及び１８６と、係止リブ１８８とによって、接続用端子板２７０を矩形筒部内に係止して背面から収容することができる。これにより、接続用端子板２７０を交換するような場合が生じても、その作業の効率を高めることができる。また、係止爪の左右の両側には間隙１９０及び１９２が形成されている。
【００７７】
＜ソケット２７４＞
この第３の実施態様では、信号ケーブル４２が着脱されるソケット２７４が、接続用端子板２７０の板面に沿って取り付けられている。このため、信号ケーブル４２を着脱する方向は、接続用端子板２７０の板面と平行な方向になる。特に、図１１に示すように、接続用端子板２７０が矩形筒部１７８内に収容されたときに、ソケット２７４の開口が上側を向くようにするのが好ましい。このようにしたことにより、信号ケーブル４２がソケット２７４に取り付けられたときには、間隙１９０又は１９２を介して信号ケーブル４２を上方向に導くことができる。このため、収容部１７４から導き出された信号ケーブル４２に妨げられることなく、裏セット盤３００を遊技盤に対して的確に閉じることができる。また、裏セット盤３００を閉じたときには、収容部１７４から導き出された信号ケーブル４２は、裏セット盤３００によって押圧されることがなくなる。このため、信号ケーブル４２の断線をも防止することができ、パチンコ遊技機からの情報をホールコンピュータに的確に送信することができる。
【００７８】
【発明の効果】
本発明によれば、裏セット盤が遊技盤に対して開放されたときでも、信号ケーブルを痛めたり、端子板から外れやすくなったり外れたりすることがなく、また、保守や点検の作業をする際に信号ケーブルが作業の邪魔にならないようにすることができるとともに、裏セット盤に貫通孔を形成することなく、信号ケーブルを的確に導くことができる。更に、遊技盤の交換作業の効率を高めることができるとともに、パチンコ遊技機の製造や組立時の工程を簡略化することができる。更にまた、端子板を収容する収容部を装飾部材に形成したので、端子板を取り付けるための部材の数を少なくすることができる。また、遊技盤の種類が異なる場合であっても、遊技盤に取り付けられる装飾部材を共通部品として使用することができ部品の共通化を図ることができる。
【図面の簡単な説明】
【図１】パチンコ遊技機１０が、パチンコホールの遊技島１に設置されたときの状態を示す正面図である。
【図２】裏セット盤３００を開放したときのパチンコ遊技機１０の背面を示す背面図である。
【図３】情報出力端子板２００と、レール飾り１００ａの上隅部と、裏セット盤３００の上隅部と、信号ケーブル４２と、を示す拡大斜視図である。
【図４】裏セット盤３００を開放したときのパチンコ遊技機１０の背面の上部の一部を示す拡大背面図である。
【図５】図４に示したＩ−Ｉに沿って示したレール飾り１００ａの断面図である。
【図６】図４に示したＩＩ−ＩＩに沿って示したレール飾り１００ａの断面図である。
【図７】ヒンジ部２４が設けられた側面から見たときのパチンコ遊技機１０の上部を示す側面図である。
【図８】ヒンジ部２４の近傍の前枠１４と、遊技盤３０と、裏セット盤３００との一部を示す平面図である。
【図９】本発明による第２の実施形態の収容部１０４の一部を示す斜視図である。
【図１０】レール飾り１００ａが遊技盤３０に取り付けられたときの状態を図９の線ＩＩＩ−ＩＩＩに沿って示す断面図である。
【図１１】本発明による第３の実施形態の収容部１０４の一部を示す斜視図である。
【図１２】レール飾り１００ａが遊技盤３０に取り付けられたときの状態を図１１の線ＩＶ−ＩＶに沿って示す断面図である。
【符号の説明】
１０  パチンコ遊技機
３０  遊技盤
１２  外枠
１４  前枠
１６  遊技盤収容枠
４２  信号ケーブル
１００ａ、１００ｂ、１００ｃ  装飾部材
１０４、１４４、１７４  収容部
１１２、１１４、１１６  ボス
１５２  係止爪
１５４  係止突起
１５６  係止リブ
１８２  係止爪
１８４、１８６  係止突起
１８８  係止リブ
２００、２４０、２７０  情報出力端子板（端子板）
【図１】
2005013407.tif 000003
【図２】
2005013407.tif 000004
【図３】
2005013407.tif 000005
【図４】
2005013407.tif 000006
【図５】
2005013407.tif 000007
【図６】
2005013407.tif 000008
【図７】
2005013407.tif 000009
【図８】
2005013407.tif 000010
【図９】
2005013407.tif 000011
【図１０】
2005013407.tif 000012
【図１１】
2005013407.tif 000013
【図１２】
2005013407.tif 000014